(57)【要約】【課題】光ディスクのクランプ機構を簡素化して部品点数や組立工数の削減を可能にすると共に、組立作業性も改善できる光ディスク装置を提供する。【解決手段】ディスククランパー３を収容保持するホルダー部２の環状壁２ａの内面に、板バネ端部挿入用の凹部２ｃを相対向して形成すると共に、板バネ端部案内溝２ｄを形成し、ディスククランパー３の凸軸部３ａを上方から押さえる板バネ１５を環状壁２ａの直径方向に架け渡して、板バネ１５の両端部を少なくとも一端部が固定されないように双方の凹部２ｃに挿入して取付けた光ディスク装置とする。板バネ１５のみでディスククランパー３を押さえることによってクランプ機構の簡素化を図り、部品点数、組立工数の削減を可能とする。そして、板バネ端部案内溝２ｄで板バネ１５の組込作業性を向上させる。【選択図】図２
2007242175.tif 000002
【特許請求の範囲】
【請求項１】
メインシャーシの左右側枠部の上端間に架設したブリッジ部の中央にホルダー部を形成して、このホルダー部の内側にディスククランパーを収容保持すると共に、メインシャーシの内側にトラバースシャーシを上下揺動可能に取付けて、このトラバースシャーシにターンテーブルを搭載し、トラバースシャーシが上方へ移動すると、ディスククランパーとターンテーブルにより光ディスクの中央孔の周縁部がチャックされて回転するように構成された光ディスク装置であって、
上記ホルダーの環状壁の内面に、凹部を相対向して形成すると共に、環状壁の上端から少なくとも一方の凹部に至り且つ溝底面が内側斜め下方に傾斜した板バネ端部案内溝を形成し、上記ディスククランパーの中心の凸軸部を上方から押さえる板バネを上記ホルダー部の環状壁の直径方向に架け渡して、該板バネの両端部を少なくとも一端部が固定されないように双方の凹部に挿入して取付け、上記ディスククランパーの凸軸部の頂部にグリスを付着したことを特徴とする光ディスク装置。
【請求項２】
メインシャーシの左右側枠部の上端間に架設したブリッジ部の中央にホルダー部を形成して、このホルダー部の内側にディスククランパーを収容保持すると共に、メインシャーシの内側にトラバースシャーシを上下揺動可能に取付けて、このトラバースシャーシにターンテーブルを搭載し、トラバースシャーシが上方へ移動すると、ディスククランパーとターンテーブルにより光ディスクの中央孔の周縁部がチャックされて回転するように構成された光ディスク装置であって、
上記ディスククランパーの中心の凸軸部を上方から押さえる板バネを上記ホルダー部の環状壁の直径方向に架け渡し、環状壁の内面に相対向して形成した凹部に、該板バネの両端部を少なくとも一端部が固定されないように挿入して取付けたことを特徴とする光ディスク装置。
【請求項３】
上記ホルダー部の環状壁の内面に、環状壁の上端から少なくとも一方の凹部に至り且つ溝底面が内側斜め下方に傾斜した板バネ端部案内溝を形成したことを特徴とする請求項２に記載の光ディスク装置。
【発明の詳細な説明】
【技術分野】
【０００１】
本発明は光ディスク装置に関し、殊に、光ディスクのクランプ機構の簡素化を図った光ディスク装置に関する。
【背景技術】
【０００２】
従来の光ディスク装置は、例えば図４に示すように、合成樹脂製のメインシャーシ１の左右側枠部１ａ，１ａの上端間にブリッジ部１ｂを一体に設け、このブリッジ部１ｂの中央にホルダー部２を形成して、このホルダー部２の内側にディスククランパー３を収容保持すると共に、メインシャーシ１の内側にトラバースシャーシ４を上下揺動可能に取付けて、このトラバースシャーシ４にターンテーブル５をその駆動モータ６と共に搭載している。そして、ブリッジ部１ｂの上にＵ字形の断面を有する金属製のクランププレート７を配置し、このクランププレート７の一端をメインシャーシ１の片側の側枠部に係止させると共に、クランププレート７の他端をメインシャーシ１の反対側の側枠部に引張りバネ８を介して取付けている。
【０００３】
かかる光ディスク装置は、トラバースシャーシ４が上方へ移動すると、ディスククランパー３とターンテーブル５により光ディスクの中央孔の周縁部がチャックされて、光ディスクが回転されるようになっており、この光ディスクのチャック時に、ディスククランパー３の中心の凸軸部がクランププレート７によって引張りバネ８の力で上方から押さえられ、充分なチャック力が与えられるようになっている。
【０００４】
しかしながら、上記の光ディスク装置は、クランププレート７と引張りバネ８を必要とするため、部品点数が増加し、組立工数も増加するという問題があった。
【０００５】
これに対し、クランパーを収容保持するホルダー部の直径方向に板バネを架け渡して両端を固定し、この板バネによってクランパーをボールを介して上方から押さえるようにしたディスククランピング装置が知られている（特許文献１）。また、リフトプレートの切欠部に弾性を有するスプリングプレートを取付け、このスプリングプレートにクランパーを回転可能に取付けたディスククランプ機構（特許文献２）や、屈曲した板バネの一端をプレートに固定し、この板バネでクランパーを押さえるようにした光ディスク装置（特許文献３）も知られている。
【特許文献１】特許第２６４８４２７号公報
【特許文献２】特開２００１−３３１９９２号公報
【特許文献３】特開２００３−９１９０４号公報
【発明の開示】
【発明が解決しようとする課題】
【０００６】
しかしながら、特許文献１のディスククランピング装置は、クランパーを押さえる部品として板バネとボールを必要とするので、部品点数や組立工数を実質的に減少させることができず、しかも、板バネの両端の取付作業が簡単でないという問題があり、また、板バネの両端を固定すると押圧力の調整が困難になるという問題もある。一方、特許文献２のディスククランプ機構は、部品点数や組込工数の低減を目的とするものであるが、リフトプレートに取付けたスプリングプレートにクランパーを回転可能に保持させるものであって、その基本的な構成が図４に示す従来の光ディスク装置のクランプ機構と根本的に相違するものである。更に、特許文献３の光ディスク装置は、板バネの一端部を固定し、板バネの傾斜した他端部でクランパーの凸軸部を押さえるものであるため、クランパーの軸振れを生じる恐れがないとは言えない。
【０００７】
本発明は上記の事情の下になされたもので、光ディスクのクランプ機構を簡素化して部品点数や組立工数の削減を可能にすると共に、組立作業性も改善することができる光ディスク装置を提供することを解決課題としている。
【課題を解決するための手段】
【０００８】
上記課題を解決するため、本発明に係る光ディスク装置は、メインシャーシの左右側枠部の上端間に架設したブリッジ部の中央にホルダー部を形成して、このホルダー部の内側にディスククランパーを収容保持すると共に、メインシャーシの内側にトラバースシャーシを上下揺動可能に取付けて、このトラバースシャーシにターンテーブルを搭載し、トラバースシャーシが上方へ移動すると、ディスククランパーとターンテーブルにより光ディスクの中央孔の周縁部がチャックされて回転するように構成された光ディスク装置であって、上記ディスククランパーの中心の凸軸部を上方から押さえる板バネを上記ホルダー部の環状壁の直径方向に架け渡し、環状壁の内面に相対向して形成した凹部に、該板バネの両端部を少なくとも一端部が固定されないように挿入して取付けたことを特徴とするものである。
【０００９】
本発明の光ディスク装置においては、上記ホルダー部の環状壁の内面に、環状壁の上端から少なくとも一方の凹部に至り且つ溝底面が内側斜め下方に傾斜した板バネ端部案内溝を形成することが好ましい。
【００１０】
そして、本発明の更に好ましい光ディスク装置は、メインシャーシの左右側枠部の上端間に架設したブリッジ部の中央にホルダー部を形成して、このホルダー部の内側にディスククランパーを収容保持すると共に、メインシャーシの内側にトラバースシャーシを上下揺動可能に取付けて、このトラバースシャーシにターンテーブルを搭載し、トラバースシャーシが上方へ移動すると、ディスククランパーとターンテーブルにより光ディスクの中央孔の周縁部がチャックされて回転するように構成された光ディスク装置であって、上記ホルダーの環状壁の内面に、凹部を相対向して形成すると共に、環状壁の上端から少なくとも一方の凹部に至り且つ溝底面が内側斜め下方に傾斜した板バネ端部案内溝を形成し、上記ディスククランパーの中心の凸軸部を上方から押さえる板バネを上記ホルダー部の環状壁の直径方向に架け渡して、該板バネの両端部を少なくとも一端部が固定されないように双方の凹部に挿入して取付け、上記ディスククランパーの凸軸部の頂部にグリスを付着したことを特徴とするものである。
【発明の効果】
【００１１】
本発明の光ディスク装置は、ホルダー部の環状壁の直径方向に架け渡して環状壁内面の凹部に両端を挿入した板バネのみで、ディスククランパーの中心の凸軸部を上方から押さえるため、従来のようにクランププレートと引張りバネでディスククランパーを押さえる光ディスク装置に比べると、クランプ機構が簡素化され、部品点数、組立工数の削減を図ることができる。そして、板バネの少なくとも一端部は環状壁内面の凹部に固定されないように挿入されているので、光ディスクのチャック時にディスククランパーが少し持ち上げられると、板バネが上側に少し湾曲変形し、その弾性復元力でディスククランパーを上方から押さえて充分なチャック力を付与することができる。また、ディスククランパーの凸軸部の軸心線は板バネ中央の凸軸部押圧面に対して垂直となり、該凸軸部が板バネによって真上から押さえられるので、斜め上から押さえられる場合のように軸振れが生じる心配も解消される。
【００１２】
特に、ホルダー部の環状壁の内面に、環状壁の上端から少なくとも一方の凹部に至り且つ溝底面が内側斜め下方に傾斜した板バネ端部案内溝を形成した光ディスク装置は、この案内溝に板バネの端部を嵌めて上から押し込むだけで、極く簡単に板バネの端部を環状壁内面の凹部まで案内して挿入できるため、板バネの組込作業性を向上させることができる。
【００１３】
そして、更に好ましい光ディスク装置のように、ディスククランパーの凸軸部の頂部にグリスを付着してあると、回転時の摩擦抵抗が小さくなってディスククランパーの回転が一層スムーズになり、凸軸部の頂部や押さえ片の凸軸部押圧面の摩耗が殆ど生じないので耐久性が向上する。
【発明を実施するための最良の形態】
【００１４】
以下、図面を参照して本発明の具体的な実施形態を詳述する。
【００１５】
図１は本発明の一実施形態に係る光ディスク装置の斜視図、図２は光ディスクがチャックされていないときの同光ディスク装置の拡大部分断面図、図３は板バネの平面図である。
【００１６】
この光ディスク装置のメインシャーシ１は合成樹脂で射出成形されたものであって、図１に示すように、その左右の側枠部１ａ，１ａの上端間にはブリッジ部１ｂが一体に形成されており、このブリッジ部１ｂの中央にはホルダー部２が形成されている。
【００１７】
このホルダー部２は、図１、図２に示すように、環状壁２ａの下端に内鍔部２ｂを形成したもので、このホルダー部２の内側には、ディスククランパー３がその外鍔部３ｂを上記内鍔部２ｂに係止させた状態で収納保持されている。
【００１８】
このホルダー部２の環状壁２ａの内面には、板バネ端部挿入用の凹部２ｃ，２ｃが相対向して形成されており、また、この環状壁２ａの内面には、環状壁２ａの上端からこれらの凹部２ｃ，２ｃに至り且つ溝底面が内側斜め下方に傾斜した板バネ端部案内溝２ｄ，２ｄも形成されている。そして、ディスククランパー３の中心の凸軸部３ａを上方から押さえる板バネ１５が環状壁２ａの直径方向に架け渡され、該板バネ１５の両端部が環状壁内面の凹部２ｃ，２ｃに固定されないように挿入されて取付けられている。
【００１９】
この板バネ１５は、例えば薄い帯鋼等からなるもので、図３に示すように、両端に挿入端部１５ａ，１５ａを備えており、この挿入端部１５ａ，１５ａを上記の案内溝２ｄ，２ｄに嵌めて上から押し込むと、板バネ１５が湾曲変形しつつ挿入端部１５ａ，１５ａが案内溝２ｄ，２ｄの溝底面を摺動して凹部２ｃ，２ｃまで案内され、極く簡単に挿入端部１５ａ，１５ａが凹部２ｃ，２ｃに挿入されるようになっている。尚、挿入端部１５ａ，１５ａを形成しないで、板バネ１５の両端部を案内溝２ｄ，２ｄに嵌めて上から押し込んでも、板バネ１５の両端部を極く簡単に凹部２ｃ，２ｃに挿入できることは言うまでもない。
【００２０】
図２に示すように、ディスククランパー３の凸軸部３ａの頂部は、板バネ１５の中央の凸軸部押圧面１５ｂと実質的に点接触できるように凸球面に形成されており、この凸軸部３ａの頂部には、回転時に板バネ１５との摩擦を低減させるためにグリス１４が付着されている。
【００２１】
図１に示すように、メインシャーシ１の内側には、トラバースシャーシ４がその後端部において上下揺動可能に取付けられており、このトラバースシャーシ４を上下に揺動させるカムスライダー１０がメインシャーシ１の前枠部の内側に取付けられている。このトラバースシャーシ４には、ターンテーブル５がその駆動モータ６（スピンドルモータ）と共に搭載されており、また、光ピックアップ１１が２本のガイド軸１２，１２（主軸と副軸）に沿ってターンテーブル５に対し接近・離反自在に搭載されている。更に、メインシャーシ１の内側には、光ディスクを載せるトレイ１３がターンテーブル５とディスククランパー３との間に配置されて、前後方向にスライド可能に取付けられている。そして、カムスライダー１０、光ピックアップ１１、トレイ１３を作動させる駆動モータ（不図示）と駆動力伝達歯車機構（不図示）が、メインシャーシ１とトラバースシャーシ４に設置されている。
【００２２】
このような構成の光ディスク装置は、図１に示すオープンの状態で光ディスク９をトレイ１３に載せて装置内部へ挿入すると、カムスライダー１０が作動してトラバースシャーシ４が上昇し、ターンテーブル５が図２に示す非チャックの状態から上昇して、光ディスク９の中央孔９ａの周縁部９ｂがターンテーブル５とディスククランパー３とでチャックされ、駆動モータ６によって光ディスク９が回転される。そして、光ピックアップ１１がガイド軸１２，１２に沿ってターンテーブル５へ接近する方向に移動しながら、レーザービームを光ディスク９に照射し、記録・再生が行われる。
【００２３】
上記実施形態の光ディスク装置では、板バネ１５の両端部をホルダー部２の双方の凹部２ｃ，２ｃに固定されないように挿入して取付けているが、板バネ１５のいずれか一端部を接着や熱溶着等の手段で一方の凹部２ｃに固定してもよい。また、上記実施形態の光ディスク装置では、ホルダー部２の環状壁２ａの上端から双方の凹部２ｃ，２ｃにそれぞれ至る二つの板バネ端部案内溝２ｄ，２ｄを形成しているが、いずれか一方の板バネ端部案内溝２ｄのみ形成してもよい。その場合は、他方の凹部２ｃに板バネ１５の他端部を挿入し、板バネ１５の一端部を板バネ端部案内溝２ｄに嵌めて上方から押し込むことにより、簡単に板バネ１５の一端部を凹部２ｃに挿入して取付けることができる。
【００２４】
以上の説明から理解できるように、この光ディスク装置は、板バネ１５のみでディスククランパー３の中心の凸軸部３ａを上方から押さえるため、図４に示す従来の光ディスク装置に比べると、クランプ機構が簡素化され、部品点数、組立工数の削減を図ることが可能となり、しかも、ホルダー部２の環状壁２ａの内面に板バネ端部案内溝２ｄを形成してあるため、板バネの組込作業が容易である。従って、この光ディスク装置は、製造面及びコスト面で有利である。また、板バネ１５の少なくとも一端部が環状壁内面の凹部２ｃに固定されないように挿入されているので、光ディスク９のチャック時に板バネ１５が上側にスムーズに湾曲変形し、その弾性復元力でディスククランパー３を上方から押さえて充分なチャック力を付与することができる。そして、ディスククランパー３の凸軸部３ａが板バネ１５中央の凸軸部押圧面１５ｂによって真上から押さえられるので、軸振れを生じる心配もない。また、凸軸部３ａの頂部にグリス１４が付着されているので、ディスククランパー回転時の摩擦抵抗が更に減少して回転が一層スムーズになり、凸軸部３ａの頂部や板バネ１５の凸軸部押圧面１５ｂの摩耗も殆ど生じないので耐久性が向上する。
【図面の簡単な説明】
【００２５】
【図１】本発明の一実施形態に係る光ディスク装置の斜視図である。
【図２】光ディスクがチャックされていないときの同光ディスク装置の拡大部分断面図である。
【図３】板バネの平面図である。
【図４】従来の光ディスク装置の一例を示す斜視図である。
【符号の説明】
【００２６】
１    メインシャーシ
１ａ  メインシャーシの左右側枠部
１ｂ  ブリッジ部
２    ホルダー部
２ａ  ホルダー部の環状壁
２ｃ  凹部
２ｄ  板バネ端部案内溝
３    ディスククランパー
３ａ  凸軸部
４    トラバースシャーシ
５    ターンテーブル
９    光ディスク
９ａ  中央孔
９ｂ  周縁部
１０  カムスライダー
１１  光ピックアップ
１３  トレイ
１４  グリス
１５  板バネ
１５ａ  挿入端部
【図１】
2007242175.tif 000003
【図２】
2007242175.tif 000004
【図３】
2007242175.tif 000005
【図４】
2007242175.tif 000006